【手続補正書】
【提出日】平成24年1月19日(2012.1.19)
【手続補正１】
【補正対象書類名】特許請求の範囲
【補正対象項目名】全文
【補正方法】変更
【補正の内容】
【特許請求の範囲】
【請求項１】
ネットワークを介してサーバ装置にアクセス可能な端末装置であって、
前記サーバ装置からＷｅｂページを取得する第１取得手段と、
前記サーバ装置から前記Ｗｅｂページ上に挿入すべき挿入情報を取得する第２取得手段と、
前記取得されたＷｅｂページを表示する表示手段と、
前記表示されているＷｅｂページ上に表示する動画データを前記サーバ装置から取得する動画取得手段と、
前記取得された動画データを再生する動画再生手段と、
前記動画データの再生中にユーザ操作が有ったか否かを判定する第１判定手段と、
前記動画データの再生終了を検出する再生終了検出手段と、
前記再生終了検出手段により前記再生終了が検出されてから所定時間内にユーザ操作が有ったか否かを判定する第２判定手段と、
前記第１判定手段により前記ユーザ操作が無いと判定され、かつ前記第２判定手段により前記ユーザ操作が有ったと判定された場合に、前記表示されているＷｅｂページ上の所定の表示位置に前記挿入情報を挿入する挿入手段と、
を備えることを特徴とする端末装置。
【請求項２】
請求項１に記載の端末装置において、
前記ユーザ操作は、前記表示されているＷｅｂページに対するスクロール操作であることを特徴とする端末装置。
【請求項３】
請求項１又は２に記載の端末装置において、
前記第２取得手段は、前記動画データに関連する前記挿入情報を取得することを特徴とする端末装置。
【請求項４】
請求項１乃至３の何れか１項に記載の端末装置において、
前記サーバ装置には、複数の前記挿入情報が記憶され、各前記挿入情報には前記Ｗｅｂページ上に表示する表示順番が付与されており、
前記挿入手段は、前記各挿入情報に付与された表示順番に基づいて、前記各挿入情報を順次挿入することを特徴とする端末装置。
【請求項５】
ネットワークを介してサーバ装置にアクセス可能な端末装置におけるＷｅｂページ上への情報挿入方法であって、
前記サーバ装置からＷｅｂページを取得するステップと、
前記サーバ装置から前記Ｗｅｂページ上に挿入すべき挿入情報を取得するステップと、
前記取得されたＷｅｂページを表示するステップと、
前記表示されているＷｅｂページ上に表示する動画データを前記サーバ装置から取得するステップと、
前記取得された動画データを再生するステップと、
前記動画データの再生中にユーザ操作が有ったか否かを判定する第１判定ステップと、
前記動画データの再生終了を検出するステップと、
前記再生終了が検出されてから所定時間内にユーザ操作が有ったか否かを判定する第２判定ステップと、
前記第１判定ステップにより前記ユーザ操作が無いと判定され、かつ前記第２判定ステップにより前記ユーザ操作が有ったと判定された場合に、前記表示されているＷｅｂページ上の所定の表示位置に前記挿入情報を挿入するステップと、
を含むことを特徴とするＷｅｂページ上への情報挿入方法。
【請求項６】
ネットワークを介してサーバ装置にアクセス可能なコンピュータを、
前記サーバ装置からＷｅｂページを取得する第１取得手段、
前記サーバ装置から前記Ｗｅｂページ上に挿入すべき挿入情報を取得する第２取得手段、
前記取得されたＷｅｂページを表示する表示手段、
前記表示されているＷｅｂページ上に表示する動画データを前記サーバ装置から取得する動画取得手段、
前記取得された動画データを再生する動画再生手段、
前記動画データの再生中にユーザ操作が有ったか否かを判定する第１判定手段、
前記動画データの再生終了を検出する再生終了検出手段、
前記再生終了検出手段により前記再生終了が検出されてから所定時間内にユーザ操作が有ったか否かを判定する第２判定手段、及び、
前記第１判定手段により前記ユーザ操作が無いと判定され、かつ前記第２判定手段により前記ユーザ操作が有ったと判定された場合に、前記表示されているＷｅｂページ上の所定の表示位置に前記挿入情報を挿入する挿入手段として機能させることを特徴とする端末処理プログラム。
【手続補正２】
【補正対象書類名】明細書
【補正対象項目名】０００９
【補正方法】変更
【補正の内容】
【０００９】
上記課題を解決するために、請求項１に記載の発明は、ネットワークを介してサーバ装置にアクセス可能な端末装置であって、前記サーバ装置からＷｅｂページを取得する第１取得手段と、前記サーバ装置から前記Ｗｅｂページ上に挿入すべき挿入情報を取得する第２取得手段と、前記取得されたＷｅｂページを表示する表示手段と、前記表示されているＷｅｂページ上に表示する動画データを前記サーバ装置から取得する動画取得手段と、前記取得された動画データを再生する動画再生手段と、前記動画データの再生中にユーザ操作が有ったか否かを判定する第１判定手段と、前記動画データの再生終了を検出する再生終了検出手段と、前記再生終了検出手段により前記再生終了が検出されてから所定時間内にユーザ操作が有ったか否かを判定する第２判定手段と、前記第１判定手段により前記ユーザ操作が無いと判定され、かつ前記第２判定手段により前記ユーザ操作が有ったと判定された場合に、前記表示されているＷｅｂページ上の所定の表示位置に前記挿入情報を挿入する挿入手段と、を備えることを特徴とする。
【手続補正３】
【補正対象書類名】明細書
【補正対象項目名】００１７
【補正方法】変更
【補正の内容】
【００１７】
請求項５に記載の発明は、ネットワークを介してサーバ装置にアクセス可能な端末装置におけるＷｅｂページ上への情報挿入方法であって、前記サーバ装置からＷｅｂページを取得するステップと、前記サーバ装置から前記Ｗｅｂページ上に挿入すべき挿入情報を取得するステップと、前記取得されたＷｅｂページを表示するステップと、前記表示されているＷｅｂページ上に表示する動画データを前記サーバ装置から取得するステップと、前記取得された動画データを再生するステップと、前記動画データの再生中にユーザ操作が有ったか否かを判定する第１判定ステップと、前記動画データの再生終了を検出するステップと、前記再生終了が検出されてから所定時間内にユーザ操作が有ったか否かを判定する第２判定ステップと、前記第１判定ステップにより前記ユーザ操作が無いと判定され、かつ前記第２判定ステップにより前記ユーザ操作が有ったと判定された場合に、前記表示されているＷｅｂページ上の所定の表示位置に前記挿入情報を挿入するステップと、を含むことを特徴とする
【手続補正４】
【補正対象書類名】明細書
【補正対象項目名】００１８
【補正方法】変更
【補正の内容】
【００１８】
請求項６に記載の端末処理プログラムの発明は、ネットワークを介してサーバ装置にアクセス可能なコンピュータを、前記サーバ装置からＷｅｂページを取得する第１取得手段、前記サーバ装置から前記Ｗｅｂページ上に挿入すべき挿入情報を取得する第２取得手段、前記取得されたＷｅｂページを表示する表示手段、前記表示されているＷｅｂページ上に表示する動画データを前記サーバ装置から取得する動画取得手段、前記取得された動画データを再生する動画再生手段、前記動画データの再生中にユーザ操作が有ったか否かを判定する第１判定手段、前記動画データの再生終了を検出する再生終了検出手段、前記再生終了検出手段により前記再生終了が検出されてから所定時間内にユーザ操作が有ったか否かを判定する第２判定手段、及び、前記第１判定手段により前記ユーザ操作が無いと判定され、かつ前記第２判定手段により前記ユーザ操作が有ったと判定された場合に、前記表示されているＷｅｂページ上の所定の表示位置に前記挿入情報を挿入する挿入手段として機能させることを特徴とする。